【手続補正書】
【提出日】平成23年2月4日(2011.2.4)
【手続補正１】
【補正対象書類名】明細書
【補正対象項目名】発明の名称
【補正方法】変更
【補正の内容】
【発明の名称】スライド傾き軽減方法
【手続補正２】
【補正対象書類名】特許請求の範囲
【補正対象項目名】全文
【補正方法】変更
【補正の内容】
【特許請求の範囲】
【請求項１】
少なくともスライドの左右若しくは前後の対向する各面の、それぞれ四隅に静圧軸受を設けたプレス機械のスライド傾き軽減方法であって、
各静圧軸受を複数の油圧供給系統のいずれかに接続し、各静圧軸受をそれらが接続されている油圧供給系統毎に制御するプレス機械のスライド傾き軽減方法。
【請求項２】
少なくともスライドの左右若しくは前後の対向する各面の、それぞれ四隅に静圧軸受を設けたプレス機械のスライド傾き軽減方法であって、
スライドを下降せしめたときの加工荷重中心の偏芯によって回転モーメントが生じたときには、当該回転モーメントを打ち消す方向に、当該静圧軸受に供給する油圧を制御するプレス機械のスライド傾き軽減方法。
【請求項３】
プレス機械のスライド傾き軽減方法であって、
スライドの右側面に設けられた右側面前上側静圧軸受７１１と右側面後上側静圧軸受７１３及び左側面に設けられた左側面前下側静圧軸受７１５と左側面後下側静圧軸受７１７とを左右側面Ａ系統７１０とし、
スライドの右側面に設けられた右側面前下側静圧軸受７２１と右側面後下側静圧軸受７２３及び左側面に設けられた左側面前上側静圧軸受７２５と左側面後上側静圧軸受７２７とを左右側面Ｂ系統７２０とし、
スライドを下降せしめたときの偏心によって、スライドが正面に対して右回りのモーメント荷重を受けたときには左右側面Ａ系統７１０を駆動し、左回りのモーメント荷重を受けたときには左右側面Ｂ系統７２０を駆動して、当該回転モーメントをうち消す方向に回転モーメントを生じせしめることを特徴とするプレス機械のスライド傾き軽減方法。
【請求項４】
プレス機械のスライド傾き軽減方法であって、
スライドの前面に設けられた前面右下側静圧軸受７３１と前面左下側静圧軸受７３５及び後面に設けられた後面右上側静圧軸受７３３と後向左上側静圧軸受７３７とを前後面Ｃ系統７３０とし、
スライドの前面に設けられた前面右上側静圧軸受７４１と前面左上側静圧軸受７４５及び後面に設けられた後面右下側静圧軸受７４３と後面左下側静圧軸受７４７とを前後面Ｄ系統７４０とし、
スライドを下降せしめたときの偏心によって、スライドが正面に対して後回りのモーメント荷重を受けたときには前後面Ｃ系統７３０を駆動し、手前回りのモーメント荷重を受けたときには前後面Ｄ系統７４０を駆動を駆動して、当該回転モーメントをうち消す方向に回転モーメントを生じせしめることを特徴とするプレス機械のスライド傾き軽減方法。
【請求項５】
前記スライドを下降せしめたときの加工荷重中心の偏芯によって生じる回転モーメントの検知を、当該回転モーメントを受けて変動する油圧供給系統の油圧の変化をもって行なう請求項２〜４のいずれかに記載のプレス機械のスライド傾き軽減方法。
【請求項６】
前記静圧軸受の静圧軸受面を構成する油溝の周囲に設けた油溝により該静圧軸受の油漏れを防止する請求項２〜５のいずれかに記載のプレス機械のスライド傾き軽減方法。
【手続補正３】
【補正対象書類名】明細書
【補正対象項目名】０００１
【補正方法】変更
【補正の内容】
【０００１】  本発明は、プレス機械における偏心荷重時のスライド傾きを軽減するためのスライド傾き軽減方法に関する。
【手続補正４】
【補正対象書類名】明細書
【補正対象項目名】０００５
【補正方法】変更
【補正の内容】
【０００５】  すなわち、工作機械の加工力は数ｋＮ（数１００ｋｇｆ）以下と小さく、荷重の変化も少ないので、工作機械ではさほど問題とならなかったが、プレス機械では静圧軸受のみでは効果なかった。
【手続補正５】
【補正対象書類名】明細書
【補正対象項目名】０００６
【補正方法】変更
【補正の内容】
【０００６】また、予めスライドに発生する偏心荷重を予め金型補正データとして入手しておき、ワーク成形中にはスライドアジャスト機構を上記金型補正データを基に駆動して、スライドの傾き補正して精度の高い成形を可能と使用としたものが知られる（特許文献１）。
【特許文献１】特開２００１−１２１２９７
【手続補正６】
【補正対象書類名】明細書
【補正対象項目名】０００９
【補正方法】変更
【補正の内容】
【０００９】請求項１に係る発明は、少なくともスライドの左右若しくは前後の対向する各面の、それぞれ四隅に静圧軸受を設けたプレス機械のスライド傾き軽減方法であって、各静圧軸受を複数の油圧供給系統のいずれかに接続し、各静圧軸受をそれらが接続されている油圧供給系統毎に制御するようにしたものである。
【手続補正７】
【補正対象書類名】明細書
【補正対象項目名】００１０
【補正方法】変更
【補正の内容】
【００１０】請求項２に係る発明は、少なくともスライドの左右若しくは前後の対向する各面の、それぞれ四隅に静圧軸受を設けたプレス機械のスライド傾き軽減方法であって、スライドを下降せしめたときの加工荷重中心の偏芯によって回転モーメントが生じたときには、当該回転モーメントを打ち消す方向に、当該静圧軸受に供給する油圧を制御するようにしたものである。
【手続補正８】
【補正対象書類名】明細書
【補正対象項目名】００１１
【補正方法】変更
【補正の内容】
【００１１】請求項３に係る発明は、プレス機械のスライド傾き軽減方法であって、スライドの右側面に設けられた右側面前上側静圧軸受７１１と右側面後上側静圧軸受７１３及び左側面に設けられた左側面前下側静圧軸受７１５と左側面後下側静圧軸受７１７とを左右側面Ａ系統７１０とし、スライドの右側面に設けられた右側面前下側静圧軸受７２１と右側面後下側静圧軸受７２３及び左側面に設けられた左側面前上側静圧軸受７２５と左側面後上側静圧軸受７２７とを左右側面Ｂ系統７２０とし、スライドを下降せしめたときの偏心によって、スライドが正面に対して右回りのモーメント荷重を受けたときには左右側面Ａ系統７１０を駆動し、左回りのモーメント荷重を受けたときには左右側面Ｂ系統７２０を駆動して、当該回転モーメントをうち消す方向に回転モーメントを生じせしめるようにしたものである。
【手続補正９】
【補正対象書類名】明細書
【補正対象項目名】００１２
【補正方法】変更
【補正の内容】
【００１２】請求項４に係る発明は、プレス機械のスライド傾き軽減方法であって、スライドの前面に設けられた前面右下側静圧軸受７３１と前面左下側静圧軸受７３５及び後面に設けられた後面右上側静圧軸受７３３と後面左上側静圧軸受７３７とを前後面Ｃ系統７３０とし、スライドの前面に設けられた前面右上側静圧軸受７４１と前面左上側静圧軸受７４５及び後面に設けられた後面右下側静圧軸受７４３と後面左下側静圧軸受７４７とを前後面Ｄ系統７４０とし、スライドを下降せしめたときの偏心によって、スライドが正面に対して後回りのモーメント荷重を受けたときには前後面Ｃ系統７３０を駆動し、手前回りのモーメント荷重を受けたときには前後面Ｄ系統７４０を駆動を駆動して、当該回転モーメントをうち消す方向に回転モーメントを生じせしめるようにしたものである。
【手続補正１０】
【補正対象書類名】明細書
【補正対象項目名】００１３
【補正方法】変更
【補正の内容】
【００１３】請求項５に係る発明は、請求項２〜４のいずれかに係る発明において更に、前記スライドを下降せしめたときの加工荷重中心の偏芯によって生じる回転モーメントの検知を、当該回転モーメントを受けて変動する油圧供給系統の油圧の変化をもって行なうようにしたものである。
【手続補正１１】
【補正対象書類名】明細書
【補正対象項目名】００１４
【補正方法】変更
【補正の内容】
【００１４】請求項６に係る発明は、請求項２〜５のいずれかに係る発明において更に、前記静圧軸受の静圧軸受面を構成する油溝の周囲に設けた油溝により該静圧軸受の油漏れを防止するようにしたものである。
【手続補正１２】
【補正対象書類名】明細書
【補正対象項目名】００３４
【補正方法】変更
【補正の内容】
【００３４】  なお、上記の記載の中で駆動制御とは、ここでは油圧を高める制御であり、また圧力を小さくとは他の系統と比較した場合の油圧であって、実際に圧力を（高圧ではあるものの）若干低くするように駆動制御してもよく、特に高圧のままであっても良いのは言うまでもないことである。
このように、本発明はここでは記載していない様々実施の形態等を包含するということは十分に理解すべきである。したがって、本発明はこの開示から妥当な特許請求の範囲に係わる発明特定事項によってのみ限定されるものでなければならない。
尚、図６は静圧軸受を使用したプレス機械の基本設計図である。この図６において、Ａ系統には、スライド１００７の右側に右側面前下側静圧軸受１７２１、右側面後下側静圧軸受１７２３、前面右下側静圧軸受１７３１、後面右下側静圧軸受１７４３が接続され、スライド１００７の左側に左側面前上側静圧軸受１７２５、左側面後上側静圧軸受１７２７、後面左上側静圧軸受１７３７、前面左上側静圧軸受１７４５が接続され、Ｂ系統にはスライド１００７の右側に右側面前上側静圧軸受１７１１、右側面後上側静圧軸受１７１３、後面右上側静圧軸受１７３３、前面右上側静圧軸受１７４１が接続され、スライド１００７の左側に左側面前下側静圧軸受１７１５、左側面後下側静圧軸受１７１７、前面左下側静圧軸受１７３５、後面左下側静圧軸受１７４７が接続され、さらにこれらＡ系統とＢ系統は、それぞれ制御部１０１７に接続される。
この図６に示す静圧軸受の油圧回路は油圧回路はＡ系統とＢ系統の２系統である。
【手続補正１３】
【補正対象書類名】明細書
【補正対象項目名】００３５
【補正方法】変更
【補正の内容】
【００３５】
【図１】本発明のスライド傾き軽減方法が適用されるプレス機械の外観を示す構成図である。
【図２】静圧軸受の構造を示す構成図である。
【図３】静圧軸受の配置と配管構造を示す構成図である。
【図４】ギブメタルに設けられる油溝の配置を示す図である。
【図５】本発明に係る静圧軸受の系統構成を示す回路図である。
【図６】静圧軸受の系統構成を示す回路図である。